(57)【要約】【課題】本発明の目的は、プラスチック製の点字付きシール（シート）を、強く押圧して繰り返し使っても、点字用の突起が損傷してしまうことのない耐久性のある点字付きシート及びその製造方法を提供すること。【解決手段】プラスチックシート３（３Ａ）に印刷を施す工程と、裏面側に窪みを有するようにプラスチックシート３（３Ａ）の表側に突起３ａを形成する工程と、窪み３ｂに紫外線硬化樹脂７を充填する工程と、紫外線硬化樹脂７に紫外線を照射して硬化させる工程よりなる点字付きシート１（１２）の製造方法。  そして、プラスチックシート３（３Ａ）に印刷を施す工程において、文字４及びそれを覆うように背景層５が印刷されているものである。【選択図】  図２
2006053247.tif 000002
【特許請求の範囲】
【請求項１】
表側に突起を形成したプラスチックシートの裏面側の窪みに硬化された紫外線硬化樹脂が充填されていることを特徴とする点字付きシート。
【請求項２】
プラスチックシートの裏面側に印刷が施されていることを特徴とする請求項１記載の点字付きシート。
【請求項３】
プラスチックシートの裏面側の窪みに印刷が施されていることを特徴とする請求項１記載の点字付きシート。
【請求項４】
プラスチックシートの裏面側に両面テープが積層されていることを特徴とする請求項１記載の点字付きシート。
【請求項５】
プラスチックシートの表側にコート層が形成されていることを特徴とする請求項１記載の点字付きシート。
【請求項６】
下記の１〜４からなる点字付きシートの製造方法。
１）プラスチックシートに印刷を施す工程、
２）裏面側に窪みを有するようにプラスチックシートの表側に突起を形成する工程、
３）窪みに紫外線硬化樹脂を充填する工程、
４）紫外線硬化樹脂に紫外線を照射して硬化させる工程、
【請求項７】
プラスチックシートに印刷を施す工程において、文字及びそれを覆うように背景層が印刷されていることを特徴とする請求項６記載の点字付きシートの製造方法。
【請求項８】
下記の１〜４からなる点字付きシートの製造方法。
１）裏面側に窪みを有するようにプラスチックシートの表側に突起を形成する工程、
２）プラスチックシートの裏面側に印刷を施す工程、
３）窪みに紫外線硬化樹脂を充填する工程、
４）紫外線硬化樹脂に紫外線を照射して硬化させる工程、
【請求項９】
プラスチックシートに印刷を施す工程において、文字及びそれを覆うように背景層を印刷することを特徴とする請求項８記載の点字付きシートの製造方法。
【発明の詳細な説明】
【技術分野】
【０００１】
本発明は、視覚の代わりに触覚により視覚障害者に情報を提供するために用いられる点字付きシート及びその製造方法に関する。
特に、シート状部材に、その裏面側に窪みを有するように表側に突起を形成した後、該窪み部に紫外線硬化樹脂を充填し、該紫外線硬化樹脂に紫外線を照射して硬化させ突起の強度を高めた点字付きシート及びその製造方法に関する。
【背景技術】
【０００２】
現在、屋外或いは室内にて、視覚障害者が触指して情報を読み取ることができる点字付きの表示板がある。
そして屋外用の表示板としては、例えばステンレス板の表面に点字用の凹凸部を付与した釉薬層を有するものが提供されている（例えば特許文献１）。
このような釉薬層により形成されている点字用の凹凸部は、潰れることや、すり減ることがなく長期に渡って使用でき耐久性がある。
【０００３】
一方、室内用の表示板としては、点字用の凹凸が付与されたプラスチック製表示シートが提供されている（例えば特許文献２）。
このプラスチック製表示シートは、上記のステンレス板の表示板と異なって屈曲性を有するため、取付け対象となる面が、必ずしも平面でなくても対応できる利点がある。
例えば、円形の手摺や取っ手等に取り付けて利用することが可能である。
【０００４】
【特許文献１】特許第３０４８５３４号公報
【特許文献２】特開昭５４−１０８７０３号公報
【発明の開示】
【発明が解決しようとする課題】
【０００５】
しかし、プラスチック製表示シートは指で繰り返し押圧して使用し続けると突起が損傷するのである。
すなわち、強く押さえたり爪を立てたりすることによりその突起が潰れて平坦化したり、また亀裂等が入ったりする。
また、すり減ると穴があいて鋭くなり指に傷を付けることとなる。
その結果、表示シートに表現された情報が明確に読み取れなくなり耐久性に関しては必ずしも満足できるものではなかった。
【０００６】
本発明は、かかる背景技術をもとになされたもので、上記の背景技術の問題点を克服するためになされたものである。
すなわち、本発明は、プラスチック製の点字付きシール（シート）を、強く押圧して繰り返し使っても、点字用の突起が損傷してしまうことのない耐久性のある点字付きシート及びその製造方法を提供することを目的とする。
【課題を解決するための手段】
【０００７】
かくして、本発明者は、このような課題背景に対して鋭意研究を重ねた結果、点字用の突起を打刻により形成する場合は裏側に空間（窪み）が生じるがこの窪みに紫外線硬化樹脂を充填し硬化させることで、上記の問題点を解決することができることを見出し、この知見に基づいて本発明を完成させたものである。
【０００８】
すなわち、本発明は、（１）、表側に突起を形成したプラスチックシートの裏面側の窪みに硬化された紫外線硬化樹脂が充填されている点字付きシートに存する。
【０００９】
また、本発明は、（２）、プラスチックシートの裏面側に印刷が施されている上記（１）に記載の点字付きシートに存する。
【００１０】
また、本発明は、（３）、プラスチックシートの裏面側の窪みに印刷が施されている上記（１）に記載の点字付きシートに存する。
【００１１】
また、本発明は、（４）、プラスチックシートの裏面側に両面テープが積層されている上記（１）に記載の点字付きシートに存する。
【００１２】
また、本発明は、（５）、プラスチックシートの表側にコート層が形成されている上記（１）に記載の点字付きシートに存する。
【００１３】
また、本発明は、（６）、下記の１〜４からなる点字付きシートの製造方法に存する。
１）プラスチックシートに印刷を施す工程、
２）裏面側に窪みを有するようにプラスチックシートの表側に突起を形成する工程、
３）窪みに紫外線硬化樹脂を充填する工程、
４）紫外線硬化樹脂に紫外線を照射して硬化させる工程、
【００１４】
また、本発明は、（７）、プラスチックシートに印刷を施す工程において、文字及びそれを覆うように背景層が印刷されている上記（６）に記載の点字付きシートの製造方法に存する。
【００１５】
また、本発明は、（８）、下記の１〜４からなる点字付きシートの製造方法に存する。
１）裏面側に窪みを有するようにプラスチックシートの表側に突起を形成する工程、
２）プラスチックシートの裏面側に印刷を施す工程、
３）窪みに紫外線硬化樹脂を充填する工程、
４）紫外線硬化樹脂に紫外線を照射して硬化させる工程、
【００１６】
また、本発明は、（９）、プラスチックシートに印刷を施す工程において、文字及びそれを覆うように背景層を印刷する上記（８）に記載の点字付きシートの製造方法に存する。
【００１７】
なお、本発明の目的に添ったものであれば、上記（１）〜（９）を適宜組み合わせた構成も採用可能である。
【発明の効果】
【００１８】
本発明によれば、裏面側に窪みを有するようにプラスチックシートの表側に突起を形成した後、該窪みに紫外線硬化樹脂を充填し、該紫外線硬化樹脂に紫外線を照射して硬化させたので、前記突起は、硬化した紫外線硬化樹脂により補強される。
その結果、指先に力を入れながら強く突起に接触しても、突起が潰れることがなく、また繰り返し指でなぞっても、穴や亀裂等が入る心配もない。
【発明を実施するための最良の形態】
【００１９】
以下、本発明を実施するための最良の形態を図面に基づいて説明する。
図１は本発明の点字付きシートの一使用態様を示している。
この点字付きシート１は、病院や百貨店等の特定建築物に設置される手摺２に貼付等により取り付けられている。
この点字付きシート１には、例えば「上り  エスカレーター」の文字が付され、その上に、同じ意味を表す点字が形成されている。
視覚障害者は触覚により読解するため、「上り  エスカレーター」の文字は点字を読み取る上で視覚障害者の妨げとはならない。
【００２０】
視覚障害者は、手摺２に沿って建物内を移動することができ、且つその点字付きシート１の点字を読み取ることで、エスカレーターの存在を知らしめる役割を果たしている。
点字によって提供される情報としては、この他、例えば、トイレの位置を知らせる情報や建物の出入口を知らせる情報等の種々のものがあることはいうまでもない。
【００２１】
〔第１実施形態〕
図２は、本発明の第１実施形態に係る点字付きシートの製造方法の流れを示している。
先ず、ステップＳ１の前に、シート状部材として薄い屈曲性のある透明なプラスチックシート３（図３記載）を用意する。
プラスチックシート３の材質としては、ポリエチレン、ポリプロピレン、ポリ塩化ビニル（塩化ビニル樹脂）、ポリスチレン（スチロール樹脂）、ＡＢＳ樹脂、アクリル樹脂、ポリカーボネート、ポリアミド、フェノール樹脂、又はポリエステル樹脂等を用いることができる。
プラスチックシート３の材質には、打刻により点字突起を形成することができるような樹脂を用い、その厚さは、後程打刻が可能なように０．１〜１．０ｍｍ程度とするのが好ましい。
【００２２】
そして、ステップＳ１において、図３に示すように、プラスチックシート３に「上り  エスカレーター」の文字４を印刷する。
施す印刷方法としては、シルクスクリーン印刷、凸版印刷、グラビア印刷、インクジェット印刷等各種の印刷方法を用いることができるが、好ましくはシルクスクリーン印刷を採用することができる。
ここで文字４には、例えばプラスチックシート３がポリカーボネートの場合は、アクリル系の黒色のインクを用いる。
なお、図中、文字４が反転して記載されているが、それは透明なプラスチックシート３の表面側から見た場合に「上り  エスカレーター」と読めるようにするためである。
【００２３】
次いで、ステップＳ２において、図４に示すように、印刷により「上り  エスカレーター」の背景となる背景層５を形成する（いわゆる「べた押さえ印刷」による背景印刷）。
背景層５には、例えばプラスチックシート３がポリカーボネートの場合は、アクリル系の白色のインクを用いる。
印刷方法としては、シルクスクリーン印刷、凸版印刷、グラビア印刷等各種の印刷方法を用いることができるが、特にシルクスクリーン印刷が好ましい。
上記の種々の方法が可能であるが、好ましくはシルクスクリーン印刷を採用することができる。
このような方法を用いると、ステップＳ２で印刷された文字４は、背景層５に覆われて中に埋もれる。
なお、背景層５の厚さは２５μｍ程度とすると良い。
【００２４】
次いで、ステップＳ３において、図５に示すように、プラスチックシート３を裏面側から、すなわち背景層５が形成された側の面から、エンボス加工（例えばピン等による打刻）を行い、点字用の突起３ａ及び窪み５ａを形成する（点字用突起形成）。
この窪み５ａは突起３ａと同時に形成されるものである。
突起３ａの高さは、プラスチックシート３の突起側の面の表面から０．３〜０．５ｍｍとするのが一般的である。
【００２５】
次いで、ステップＳ４において、図６に示すように、へら状のスキージ６を用いて窪み５ａに紫外線硬化樹脂７を充填する。
次いで、ステップＳ５において、図７に示すように、紫外線照射装置８の下方にプラスチックシート３を配置する。
そして、この紫外線照射装置８の電源をＯＮにし、プラスチックシート３に紫外線を照射すると、図８に示すように紫外線硬化樹脂７は硬化する。
【００２６】
次いで、ステップＳ６において、図９に示すように、剥離紙９と粘着剤１０とからなる両面テープ１１を背景層５の上に積層して、点字付きシート１２が完成する。
これで点字付きシート１２を他物体へ貼着する場合は、剥離紙９を剥がして粘着剤１０を露出させこの面を他物体へ貼り付ける。
もっとも、点字付きシート１２としては、他物体への貼着を意図しない場合は、両面テープ１１を積層しなくても良い。
このような点字付きシート１２は、更に、その表面に酸化チタンを含むポリテトラフルオロエチレン加工を行って最外層であるコート層１３を形成することも可能である（図１０参照）。
コート層１３により点字の凹凸が滑り易くなり触指が円滑となり、また酸化チタンにより汚れ等の付着が防止される。
【００２７】
上述した第１実施形態の点字付きシート１２では、プラスチックシート３の表側に突起３ａを形成した後、結果的に裏側に生ずる窪み５ａに紫外線硬化樹脂７を充填し、該紫外線硬化樹脂７に紫外線を照射して硬化させたので、突起３ａは、硬化した紫外線硬化樹脂７により補強される。
そのため指先に力を入れながら突起３ａをなぞっても、突起３ａが潰れることがなく、また繰り返し指でなぞっても、突起３ａに穴や亀裂等が入る心配もない。
【００２８】
〔第２実施形態〕
図１１は、本発明の第２実施形態に係る点字付きシートの製造方法を示している。
先ず、ステップＳ１１において、図１２に示すように、エンボス加工（例えばピン等による打刻）により突起３ａ及び窪み３ｂが形成されたプラスチックシート３Ａを準備する。
【００２９】
次いで、ステップＳ１２において、図１３に示すように、プラスチックシート３Ａに文字４を印刷する。
次いで、ステップＳ１３において、印刷により文字４の背景となる背景層５を覆うように形成する（背景印刷）。
すると、図１４に示すように、ステップＳ２で印刷された文字４は、背景となる背景層５の中に埋もれる。
この場合、シルクスクリーン印刷では窪み３ｂの部分は圧が加わらないために印刷されず、図のように背景層５に穴が開いた（途切れた状態）となる。
【００３０】
次いで、ステップＳ１４、Ｓ１５、Ｓ１６、Ｓ１７と進むが、第１実施形態のステップＳ４、Ｓ５、Ｓ６と同様であるため、図１５〜図１８に各ステップ毎の状態は示すが、その説明を省略する。
なお、第１実施形態と同じようにコート層１３を形成することも当然可能である。
【００３１】
上述した第２実施形態の点字付きシートでは、第１実施形態と同様の効果を奏する。
只、第２実施形態の点字付きシートでは、第１実施形態より窪み３ｂが大きくなるために紫外線硬化樹脂７の充填量が多くなっている。
更に、第２実施形態の点字付きシートでは、印刷前にプラスチックシート３Ａに突起３ａが形成されるため、文字４が窪み３ｂの位置に入らないように印刷することが必要である。
逆に、第１実施形態の点字付きシートでは、印刷した後にプラスチックシート３Ａをエンボス加工して突起３ａを形成するために、文字４を窪み３ｂに入れることも可能である。
【００３２】
以上、本発明を説明してきたが、本発明は上述した第１及び第２実施形態にのみ限定されるものではなく、その本質を逸脱しない範囲で、他の種々の変形が可能であることはいうまでもない。
例えば、上述した第１及び第２実施形態では、両面テープ１１を用いて手摺２に貼付するシールを例に挙げて説明したが、両面テープ１１の代わりに紫外線硬化樹脂７の層を介して板材を貼り付ければ、プレート状にすることもできる。
【００３３】
また、上述した第１及び第２実施形態では、点字付きシートに両面テープ１１を備えるもので述べたが、他への貼着を意図しない場合は両面シートを備える必要がない。
また、上述した第１及び第２実施形態では、点字付きシートの最外面にコート層１３を形成する点を述べたが、コート層は、耐久性を付与するため等の種々の層のものが適用可能である。
また、印刷は、文字印刷或いは背景印刷だけでも採用可能であり、更に印刷を加えることも当然良い。
【産業上の利用可能性】
【００３４】
本発明の点字付きシートは、視覚の代わりに触覚により視覚障害者に情報を提供するためのものであるが、その原理を利用する限り、模様形成シート等のインテリア分野等他分野への適用も当然可能である。
【図面の簡単な説明】
【００３５】
【図１】図１は、本発明の点字付きシートの一使用態様を示す説明図である。
【図２】図２は、本発明の第１実施形態に係る点字付きシートの製造方法を示す流れ図である。
【図３】図３は、プラスチックシートに文字の印刷を施した状態を示す説明図である。（Ａ）は文字の印刷が施された後の裏面側を示しており、（Ｂ）は文字が印刷された部分を含む断面を示している。
【図４】図４は、プラスチックシートに背景の印刷を施した状態を示す説明図であり、（Ａ）は背景の印刷が施された後の裏面側を示しており、（Ｂ）は文字が印刷された部分を含む断面を示している。
【図５】図５は、プラスチックシートに点字を打刻した後の状態を示す説明図であり、（Ａ）は打刻された後のプラスチックシートの裏面側を示しており、（Ｂ）は打刻された部分を含むプラスチックシートの断面を示している。
【図６】図６は、打刻により形成されたプラスチックシートの窪みに紫外線硬化樹脂を充填している状態を示す説明図である。
【図７】図７は、紫外線硬化樹脂が窪みに充填されたプラスチックシートを紫外線照射装置に設置した状態を示す説明図である。
【図８】図８は、プラスチックシートの窪みに充填された紫外線硬化樹脂に紫外線を照射している状態を示す説明図である。
【図９】図９は、紫外線硬化樹脂を硬化させた後にプラスチックシートの裏面側に両面テープを貼り付けた状態を示す説明図である。
【図１０】図１０は、プラスチックシートの表面側にコート層を形成した状態を示す説明図である。
【図１１】図１１は、本発明の第２実施形態に係る点字付きシートの製造方法を示す流れ図である。
【図１２】図１２は、点字用の突起が形成されたプラスチックシートを示す説明図である。
【図１３】図１３は、プラスチックシートに文字の印刷を施した状態を示す説明図である。
【図１４】図１４は、プラスチックシートに背景の印刷を施した状態を示す説明図である。
【図１５】図１５は、プラスチックシートの窪みに対して紫外線硬化樹脂を充填している状態を示す説明図である。
【図１６】図１６は、紫外線硬化樹脂が窪みに充填されたプラスチックシートを紫外線照射装置に設置した状態を示す説明図である。
【図１７】図１７は、プラスチックシートの窪みに充填された紫外線硬化樹脂に紫外線を照射している状態を示す説明図である。
【図１８】図１８は、紫外線硬化樹脂を硬化させた後にプラスチックシート裏面側に両面テープを貼り付けた状態を示す説明図である。
【符号の説明】
【００３６】
１  点字付きシート
２  手摺
３，３Ａ  プラスチックシート
３ａ  突起
３ｂ  窪み
４  文字
５  背景層
５ａ  窪み
６  スキージ
７  紫外線硬化樹脂
８  紫外線照射装置
９  剥離紙
１０  粘着剤
１１  両面テープ
１２  点字付きシート
１３  コート層
【図１】
2006053247.tif 000003
【図２】
2006053247.tif 000004
【図３】
2006053247.tif 000005
【図４】
2006053247.tif 000006
【図５】
2006053247.tif 000007
【図６】
2006053247.tif 000008
【図７】
2006053247.tif 000009
【図８】
2006053247.tif 000010
【図９】
2006053247.tif 000011
【図１０】
2006053247.tif 000012
【図１１】
2006053247.tif 000013
【図１２】
2006053247.tif 000014
【図１３】
2006053247.tif 000015
【図１４】
2006053247.tif 000016
【図１５】
2006053247.tif 000017
【図１６】
2006053247.tif 000018
【図１７】
2006053247.tif 000019
【図１８】
2006053247.tif 000020